(57)【要約】【課題】車両の貸出可能期間の設定にかかる負担を軽減することができる貸出システムを提供する。【解決手段】スケジュール情報取得部１３は、車両１００の所有者又は該所有者と所定関係を有する者である車両提供者Ｐｓのスケジュール帳情報Ｓｃｈｉを取得する。貸出可能期間設定部１９は、スケジュール帳情報Ｓｃｈｉに基づいて、車両提供者Ｐｓが車両１００を使用しない期間である車両不使用期間を推定し、車両不使用期間に基づいて車両１００の貸出可能期間を設定する。【選択図】図１
2019160209.tif 000002
【特許請求の範囲】
【請求項１】
車両の所有者又は該所有者と所定関係を有する者である車両提供者のスケジュール情報を取得するスケジュール情報取得部と、
前記スケジュール情報に基づいて、前記車両提供者が前記車両を使用しない期間である車両不使用期間を推定し、該車両不使用期間に基づいて前記車両の貸出可能期間を設定する貸出可能期間設定部と
を備えていることを特徴とする貸出システム。
【請求項２】
前記貸出可能期間設定部は、前記車両不使用期間に基づいて前記車両の貸出可能期間の候補である仮貸出可能期間を設定して、該仮貸出可能期間を示して貸出可能期間の確認を求める仮貸出可能期間情報を、前記車両提供者が使用する提供者端末に送信し、該仮貸出可能期間情報の受信に応じて該提供者端末から送信された前記仮貸出可能期間の承認又は修正を示す貸出可能期間確認情報に基づいて、前記貸出可能期間を設定することを特徴とする請求項１に記載の貸出システム。
【請求項３】
前記車両の借入を要請する利用者が使用する利用者端末から、前記車両の使用予定期間を含む借入要請情報を受信したときに、前記車両の扉を開錠するための仮想鍵を含む借入承認情報を、前記利用者端末に送信する車両借入受付部と、
前記仮想鍵による前記車両の扉の開錠が可能な期間を、前記使用予定期間内に制限する仮想鍵使用条件設定部と
を備えていることを特徴とする請求項１又は請求項２に記載の貸出システム。
【請求項４】
前記貸出可能期間設定部は、前記車両の車室を荷物の預入スペースとして貸出す場合の前記貸出可能期間を設定し、
前記預入スペースへの荷物の預入を要請する利用者が使用する利用者端末から、前記預入スペースの使用予定期間を含む借入要請情報を受信したときに、前記車両の扉を開錠するための仮想鍵を含む借入承認情報を、前記利用者端末に送信する車両借入受付部と、
前記仮想鍵による開錠が可能な前記車両の扉を、所定の扉のみに制限する仮想鍵使用条件設定部と
を備えていることを特徴とする請求項１又は請求項２に記載の貸出システム。
【請求項５】
前記車両が位置している地域の天候情報を取得する天候情報取得部を備え、
前記貸出可能期間設定部は、前記天候情報取得部により取得された前記天候情報に基づいて、前記貸出可能期間を設定することを特徴とする請求項１から請求項４のうちいずれか１項に記載の貸出システム。
【請求項６】
前記車両の車載機器の状態を認識する車両状態認識部を備え、
前記貸出可能期間設定部は、前記車両状態認識部により認識された前記車両の車載機器の状態に基づいて、前記貸出可能期間を設定することを特徴とする請求項１から請求項５のうちいずれか１項に記載の貸出システム。
【発明の詳細な説明】
【技術分野】
【０００１】
本発明は、車両の貸出をサポートする貸出システムに関する。
【背景技術】
【０００２】
従来、サービスや物品を供給する供給者が使用する供給者端末、及びサービスや物品の提供を求める需要者が使用する需要者端末との間で相互に通信を行って、供給者端末から送信される供給情報と需要者端末から送信される需要情報とのマッチングを行い、マッチングの結果を、供給者端末及び需要者端末に送信するようにしたマッチング支援システムが提案されている（例えば、特許文献１参照）。
【先行技術文献】
【特許文献】
【０００３】
【特許文献１】国際公開第２０１３／０９９９６４号
【発明の概要】
【発明が解決しようとする課題】
【０００４】
上記特許文献１に記載されたように、供給者が有するリソースの有効活用を図る形態として、例えば、車両の所有者が、車両を使用しない期間を車両の貸出可能期間として登録し、車両を時間貸しにより提供することが考えられる。
しかしながら、車両の所有者が車両を使用するタイミングが不定期であるときには、車両の所有者は、車両の使用予定が決まるたびに、車両の所有者は、車両の貸出可能期間をその都度登録しなければならないという煩わしさがある。
本発明はかかる背景に鑑みてなされたものであり、車両の貸出可能期間の設定にかかる負担を軽減することができる貸出システムを提供することを目的とする。
【課題を解決するための手段】
【０００５】
本発明の貸出システムは、車両の所有者又は該所有者と所定関係を有する者である車両提供者のスケジュール情報を取得するスケジュール情報取得部と、前記スケジュール情報に基づいて、前記車両提供者が前記車両を使用しない期間である車両不使用期間を推定し、該車両不使用期間に基づいて前記車両の貸出可能期間を設定する貸出可能期間設定部とを備えていることを特徴とする。
かかる本発明によれば、スケジュール情報取得部により、車両提供者のスケジュール情報が取得される。そして、貸出可能期間設定部により、スジュール情報に基づいて車両の不使用期間が推定され、不使用期間に基づいて車両の貸出可能期間が設定される。そのため、車両提供者は、車両の貸出可能期間を全て自身で設定する必要がないので、貸出可能期間の設定にかかる負担を軽減することができる。
【０００６】
また、前記貸出可能期間設定部は、前記車両不使用期間に基づいて前記車両の貸出可能期間の候補である仮貸出可能期間を設定して、該仮貸出可能期間を示して貸出可能期間の確認を求める仮貸出可能期間情報を、前記車両提供者が使用する提供者端末に送信し、該仮貸出可能期間情報の受信に応じて該提供者端末から送信された前記仮貸出可能期間の承認又は修正を示す貸出可能期間確認情報に基づいて、前記貸出可能期間を設定する構成としてもよい。
この構成によれば、車両不使用期間に基づいて設定した仮貸出可能期間について、車両提供者の確認をとる処理を行うことにより、車両提供者の意に反した車両貸出可能期間が設定されることを防止することができる。
【０００７】
また、前記車両の借入を要請する利用者が使用する利用者端末から、前記車両の使用予定期間を含む借入要請情報を受信したときに、前記車両の扉を開錠するための仮想鍵を含む借入承認情報を、前記利用者端末に送信する車両借入受付部と、前記仮想鍵による前記車両の扉の開錠が可能な期間を、前記使用予定期間内に制限する仮想鍵使用条件設定部とを備えている構成としてもよい。
この構成によれば、仮想鍵により車両の扉の開錠が可能な期間を、利用者による使用予定期間内に制限することによって、使用予定期間外に車両が無断で使用されることを防止することができる。
【０００８】
また、前記貸出可能期間設定部は、前記車両の車室を荷物の預入スペースとして貸出す場合の前記貸出可能期間を設定し、前記預入スペースへの荷物の預入を要請する利用者が使用する利用者端末から、前記預入スペースの使用予定期間を含む借入要請情報を受信したときに、前記車両の扉を開錠するための仮想鍵を含む借入承認情報を、前記利用者端末に送信する車両借入受付部と、前記仮想鍵による開錠が可能な前記車両の扉を、所定の扉のみに制限する仮想鍵使用条件設定部とを備えている構成としてもよい。
この構成によれば、例えば、開錠が可能な扉をトランクのみに制限して、乗員室に荷物が収容されことを回避し、荷物の出し入れ時に乗員室が汚されることを防止することができる。
【０００９】
また、前記車両が位置している地域の天候情報を取得する天候情報取得部を備え、前記貸出可能期間設定部は、前記天候情報取得部により取得された前記天候情報に基づいて、前記貸出可能期間を設定する構成としてもよい。
この構成によれば、例えば、天候が雨や雪であって、車の使用時に降水により車室内が汚れる可能性が高い場合に、降水が予想される期間を貸出可能期間から除外することで、車室内が汚されることを防止することができる。
【００１０】
また、前記車両の車載機器の状態を認識する車両状態認識部を備え、前記貸出可能期間設定部は、前記車両状態認識部により認識された前記車両の車載機器の状態に基づいて、前記貸出可能期間を設定する構成としてもよい。
この構成によれば、例えば、車両のバッテリの残蓄電量が少ない状態で、車両が貸し出され、車両の扉の開錠はできたが、施錠ができない状況になる等の不都合が生じることを防止することができる。
【図面の簡単な説明】
【００１１】
【図１】貸出システムの構成図。
【図２】預入スペースの提供者の登録と預入スペースの貸出可能期間の設定処理のフローチャート。
【図３】貸出可能期間の設定例の説明図。
【図４】貸出登録情報の説明図。
【発明を実施するための形態】
【００１２】
［１．貸出システムの構成］
図１は、本実施形態における貸出システム１の構成図である。図１を参照して、貸出システム１は、車両１００の所有者又は所有者と所定関係を有する者である車両提供者Ｐｓにより提供される車両１００の車室の預入スペース１０１を、利用者Ｐｕに貸出すサービスをサポートする。ここで、所有者と所定関係を有する者としては、所有者の家族、同居人等であって、車両１００を日常的に使用する者が該当する。
【００１３】
貸出システム１は、通信ネットワーク５００を介して、預入スペース１０１を提供する車両提供者Ｐｓが使用する端末装置（以下、提供者端末という）１０５、及び預入スペース１０１を使用する利用者Ｐｕが使用する端末装置（以下、利用者端末という）９０と、通信可能に接続されている。これらの通信要素間の通信接続は、有線接続でも無線接続でもよい。提供者端末１０５及び利用者端末９０としては、スマートフォン、携帯電話、タブレット端末等が使用される。
【００１４】
貸出システム１は、ＣＰＵ（Central Processing Unit）１０、メモリ３０、通信部４０、各種インターフェース回路（図示しない）等により構成されたコンピュータシステムである。ＣＰＵ１０は、メモリ３０に保存された貸出システム１の制御用プログラム３１を読み込んで実行することにより、貸出登録情報管理部１１、貸出登録情報取得部１２、スケジュール情報取得部１３、車両借入受付部１４、仮想鍵使用条件設定部１５、車両貸出条件設定部１６、天候情報取得部１７、車両状態認識部１８、貸出可能期間設定部１９、及び使用状況認識部２０として機能する。
【００１５】
メモリ３０には、制御用プログラム３１の他に、貸出システム１を利用した預入スペースの貸出サービスの利用登録を行った各車両提供者と預入スペースの情報等を記録した貸出登録情報３２等が保存されている。
【００１６】
図１の例では、貸出登録情報管理部１１は、車両提供者Ｐｓの提供者端末１０５から送信される提供者情報Ｕｓｉ（氏名、車両の情報等を含む）と、車両提供者Ｐｓの行動予定を示すスケジュール帳情報Ｓｃｈｉ（本発明のスケジュール情報に相当する）を受信して、車両提供者Ｐｓの識別情報である提供者ＩＤを発行し、貸出登録情報３２を生成してメモリ３０に保存する。また、貸出登録情報管理部１１は、預入スペースとして提供される車両１００の扉を開錠するための仮想鍵を、提供者端末１０５から受信する。
【００１７】
図４に示したように、貸出登録情報３２には、預入スペースの貸出登録を行った各提供者の提供者ＩＤ３２ａと対応付けて、提供者情報３２ｂ（提供者の氏名、提供者が使用する提供者端末の通信アドレス等）、車両情報３２ｃ（駐車位置、車種、登録番号、色、仮想鍵等）、仮想鍵使用条件３２ｄ（仮想鍵による開錠が可能な扉の制限等）、貸出条件３２ｅ（収容可能な荷物のサイズ、天候による貸出可能期間の制限等）、スケジュール帳３２ｆ、貸出可能期間３２ｇ、使用予定期間３２ｈ、及び利用者情報３２ｉ（利用者端末の通信用アドレス等）が記録されている。
【００１８】
貸出登録情報取得部１２は、メモリ３０に保存された貸出登録情報３２を読出して、貸出登録情報３２に記録された情報を取得する。また、貸出登録情報３２が、貸出システム１以外の外部サーバー等に保存されている場合には、貸出登録情報取得部１２は、外部サーバー等にアクセスして、貸出登録情報３２に記録された情報を読み出す。
【００１９】
スケジュール情報取得部１３は、提供者端末１０５から送信されるスケジュール帳情報Ｓｃｈｉを受信して、貸出登録情報３２に記録する。車両借入受付部１４は、利用者端末９０から送信される借入要請情報Ｃｕｒｑを受信して、預入スペースの使用の申込を受け付け、車両１００の仮想鍵を含む借入承認情報Ｃｕａｃを利用者端末９０に送信する。
【００２０】
仮想鍵使用条件設定部１５は、車両提供者Ｐｓから貸与される車両１００の仮想鍵の使用条件を、車両提供者Ｐｓの要望に応じて、例えば以下のように設定する。
（使用条件１） 仮想鍵による車両の起動（イグニッションＯＮ）を禁止する。これにより、預入スペースとしての使用以外の車両の使用を不能とする。
（使用条件２） 仮想鍵による車両の扉の開錠が可能な期間を、預入スペースの使用予定期間内のみに制限し、使用予定期間外での仮想鍵による車両の扉の開錠を禁止する。これにより、使用予定時間外に車両の扉が開錠されることを回避することができる。
（使用条件３） 仮想鍵を用いた車両の扉の開錠を運転席以外の扉に限定し、運転席については仮想鍵を用いた開錠を禁止する。これにより、荷物を運転席に収容する際に運転席の位置が変更され、その後車両を使用する際に、運転者が運転席の位置を合わせ直さなければならなくなることを回避することができる。
（使用条件４）仮想鍵を用いた車両の扉の開錠をトランクのみに限定し、トランク以外の扉の開錠を禁止する。これにより、乗員室に荷物が出し入れされて、乗員室が汚れてしまうことを防止することができる。
【００２１】
天候情報取得部１７は、天候情報サーバー５１０にアクセスして、車両１００が駐車している地域の天候情報を取得する。車両状態認識部１８は、車両１００の制御ユニット１０２から送信される車両１００の車載機器の状態（バッテリの残量、故障等）を示す車載機器状態情報を取得する。
【００２２】
車両貸出条件設定部１６は、車両１００の預入スペース１０１を貸出す場合の貸出条件を、車両提供者Ｐｓの要望に応じて、例えば、以下のように設定する。
（貸出条件１） 天候情報取得部１７により取得された天候情報から、降水が予想される期間は、貸出を禁止する。貸出条件１を設定することにより、雨、雪、みぞれ等が降っている降水時に、車室が預入スペースとして貸し出され、車室に荷物を出し入れする際に車室内が濡れてしまうことを回避ことができる。
（貸出条件２）車両状態認識部１８により取得された車載機器状態情報から、車両の不具合が認識された場合は、貸出を禁止する。貸出条件２を設定することにより、例えば、バッテリの残容量が少ない場合に預入スペースを貸出し、荷物を出し入れする際に、扉の開錠はできたが、その後に施錠ができなくなる等の状況となることを防止することができる。
【００２３】
貸出可能期間設定部１９は、貸出登録情報３２のスケジュール帳３２ｆに基づいて、車両１００の預入スペース１０１の貸出可能時間を設定する。貸出可能期間設定部１９は、例えば、スケジュール帳３２ｆに、以下の対象行動予定が登録されている場合に、貸出可能期間設定部１９は、対象予定の期間を貸出可能期間に設定する。なお、貸出可能期間の設定処理の詳細については、後述する。
（対象行動予定） 電車やバス等の公共交通機関による外出。車両提供者Ｐｓが公共交通機関で外出する場合は、車両１００が使用されないため、車両不使用期間であると推定することができる。そのため、車両不使用期間を貸出可能期間に設定することで、空いている車両１００の車室を有効に活用することができる。
【００２４】
使用状況認識部２０は、預入スペース１０１を提供する車両提供者Ｐｓの提供者端末１０５から送信される預入スペース１０１の使用開始及び使用終了等の情報に基づいて、貸出登録情報３２に登録されている各預入スペースの使用情報を監視する。
［２．貸出登録情報の記録と貸出可能期間の設定］
次に、図２に示したフローチャートに従って、図１に示した状況で、提供者端末１０５から送信される情報に基づいて、貸出システム１が、車両１００の預入スペース１０１の貸出登録情報の生成と、貸出可能期間の設定を行う処理について説明する。
【００２５】
提供者端末は、ステップＳ１０で、預入スペース１０１を提供する車両提供者Ｐｓの操作に応じて、車両提供者Ｐｓの提供者情報Ｕｓｉを貸出システム１に送信する。貸出システム１の貸出登録情報管理部１１は、ステップＳ２０で提供者情報Ｕｓｉを受信する。そして、貸出登録情報管理部１１は、続くステップＳ２１で、図４に示したように、車両提供者Ｐｓに対して発行した提供者ＩＤ３２ａ、提供者情報Ｕｓｉに含まれる提供者情報３２ｂ、車両情報３２ｃ、仮想鍵使用条件３２ｄ、車両貸出条件３２ｅを、貸出登録情報３２に記録する。
【００２６】
ステップＳ１１で、提供者端末１０５は、提供者端末１０５で使用されているスケジュール管理アプリにより管理されているスケジュール帳情報Ｓｃｈｉを貸出システム１に送信する。ステップＳ２２で、スケジュール情報取得部１３は、スケジュール帳情報Ｓｃｈｉを受信し、続くステップＳ２３で、スケジュール情報取得部１３は、スケジュール帳情報Ｓｃｈｉを、貸出登録情報３２の３２ｆに記録する。
【００２７】
スケジュール管理アプリは、スケジュール帳に登録される車両提供者Ｐｓのスケジュールに、追加、修正、変更があったときに、更新したスケジュール帳情報Ｓｃｈｉを貸出システム１に送信する。そして、スケジュール情報取得部１３は、更新されたスケジュール帳情報Ｓｃｈｉを受信して、貸出登録情報３２のスケジュール帳３２ｆを更新する。
【００２８】
次のステップＳ２４で、貸出可能期間設定部１９は、貸出登録情報３２のスケジュール帳３２ｆに記録されている車両提供者Ｐｓのスケジュールに基づいて、上述したように、預入スペース１０１の貸出可能期間の候補として仮貸出可能期間を設定する。そして、ステップＳ２５で、貸出可能期間設定部１９は、仮貸出可能期間を示す仮貸出可能期間情報ＴＴＳｉを提供者端末に送信する。
【００２９】
提供者端末は、ステップＳ１２で仮貸出可能期間情報ＴＴＳｉを受信し、続くステップＳ１３ｄで、仮貸出可能期間を表示部に表示して、車両提供者Ｐｓによる確認と修正を促す貸出可能期間の確認・修正処理を実行する。貸出可能期間の確認・修正処理により、車両提供者Ｐｓによる確認済みの貸出可能期間が確定する。車両提供者Ｐｓは、提供者端末１０５により貸出システム１にアクセスして、確定した貸出可能期間をいつでも確認することができる。
【００３０】
次のステップＳ１４で、提供者端末は、車両提供者による確認済みの貸出可能期間を示す貸出可能期間確認情報ＴＳｉを貸出システム１に送信する。ステップＳ２６で、貸出システム１の貸出可能期間設定部１９は、貸出可能期間確認情報ＴＳｉを受信する。続くステップＳ２７で、貸出可能期間設定部１９は、貸出可能期間確認情報ＴＳｉにより示される貸出可能期間を、貸出登録情報３２の３２ｇに記録する。
【００３１】
貸出登録情報管理部１１は、このようにして貸出登録情報３２に記録された各預入スペースの貸出可能期間３２ｇ内で、利用者Ｐｕの利用者端末９０から送信される借入要請情報Ｃｕｒｑによる預入スペース１０１の使用の申込を受け付ける。そして、申込があった使用予定期間３２ｈと、申込を行った利用者Ｐｕの利用者情報３２ｉとを貸出登録情報３２に順次記録する。
【００３２】
図４の例では、提供者ＩＤにＰｓ−００１が割り当てられた利用者について、貸出可能期間ＴＦＳ−Ａが設定され、貸出可能期間ＴＦＳ−Ａ内で、使用予定期間ＵＴＡ−００１，ＵＴＡ−００２，ＵＴＡ−００３，…と、利用者情報ＰｕＩＦ−００１，ＰｕＩＦ−００２，ＰｕＩＦ−００３，…が登録されている。
【００３３】
［３．預入スペースの貸出可能期間の設定例］
次に、図３を参照して、車両提供者の１日（０時から２４時）のスケジュールに基づいて、預入スペースの貸出可能期間を設定する例を説明する。図３は、３人の車両提供者Ｐｓ１，Ｐｓ２，Ｐｓ３が、１台１の車両を日常的に使用する場合を示しており、車両提供者Ｐｓ１，Ｐｓ２，Ｐｓ３は、例えば、同居している家族である。
【００３４】
車両提供者Ｐｓ１のスケジュール帳には、８時から２０時まで、電車で通勤して就労する行動計画が登録されている。また、車両提供者Ｐｓ２及びＰｓ３のスケジュール帳には、共に１１時から１９までバスで外出する行動計画が登録されている。
【００３５】
貸出可能期間設定部１９は、３人の車両提供者Ｐｓ１，Ｐｓ２，Ｐｓ３のいずれもが、車両を使わずに外出して、車両が使用されることがない車両不使用期間を推定する。図３の例では、１１時から１９時までの間、３人の車両提供者Ｐｓ１，Ｐｓ２，Ｐｓ３がいずれも公共交通機関（電車、バス）を利用して外出する予定となっている。そこで、貸出可能期間設定部１９は、１１時から１９までの間を車両不使用期間と推定し、車両不使用期間を貸出可能期間ＴＦＳに設定する。
【００３６】
なお、車両提供者Ｐｓ１，Ｐｓ２，Ｐｓ３の行動予定が多少変更されることも考えられるため、車両不使用期間よりも短い期間を貸出可能期間に設定してもよい。例えば、図３の例では、１１時から１９時までの車両不使用期間内の１２時から１８時までを、貸出可能期間に設定してもよい。
［４．他の実施形態］
上記実施形態では、貸出システム１により、車両１００の車室を預入スペース１０１として貸出す場合を例示したが、車両１００自体を貸出す場合にも、本発明の適用が可能である。この場合は、貸出システム１から利用者Ｐｕの端末装置９０に対して、車両１００の扉の開錠に加えて車両１００の起動も可能な仮想鍵を送信する構成となる。
【００３７】
上記実施形態では、仮想鍵使用条件設定部１５により、仮想鍵による車両１００の扉の開錠が可能な期間を、車両１００の預入スペース１０１の使用予定期間内に制限したが、この制限を行わない場合にも、本発明の効果を得ることができる。
【００３８】
上記実施形態では、仮想鍵使用条件設定部１５により、仮想鍵による開錠が可能な車両１００の扉を制限したが、この制限を行わない場合にも、本発明の効果を得ることができる。
【００３９】
上記実施形態では、車両貸出条件設定部１６は、天候情報及び車両１００の状態に応じて、車両１００の貸出可能時間を制限したが、天候情報と車両１００の状態のいずれかに応じて貸出可能期間を制限してもよく、また、貸出可能期間の制限を行わない構成としてもよい。
【００４０】
なお、図２は、本願発明の理解を容易にするために、貸出システム１の機能構成を、主な処理内容により区分して示した概略図であり、貸出システム１の構成を、他の区分によって構成してもよい。また、各構成要素の処理は、１つのハードウェアユニットにより実行されてもよいし、複数のハードウェアユニットにより実行されてもよい。また、各構成要素の処理は、１つのプログラムにより実行されてもよいし、複数のプログラムにより実行されてもよい。
【符号の説明】
【００４１】
１…貸出システム、１０…ＣＰＵ、１１…貸出登録情報管理部、１２…貸出登録情報取得部、１３…スケジュール情報取得部、１４…車両借入受付部、１５…仮想鍵使用条件設定部、１６…車両貸出条件設定部、１７…天候情報取得部、１８…車両状態認識部、１９０…貸出可能期間設定部、２０…使用状況認識部、３０…メモリ、３１…制御用プログラム、３２…貸出登録情報、４０…通信部、９０…利用者端末、９５…荷物、１００…車両、１０１…預入スペース、１０２…制御ユニット。
【図１】
2019160209.tif 000003
【図２】
2019160209.tif 000004
【図３】
2019160209.tif 000005
【図４】
2019160209.tif 000006